(57)【要約】      （修正有）【課題】従来よりも塗る作業が少なくてすみ、この作業による疲労を軽減することができるパテベラを提供する。【解決手段】ブレード２の上面３に脚柱４を介して柄５が取付けられ、且つ、ブレード２の刃先縁８に垂直な線に対して、上側から見て柄５の軸線が所定の角度を有して傾斜している。パテを２度塗るだけで継ぎ目を充填させることができるから作業の能率が上がる。なお、２度目のパテ塗りは仕上げ塗りとも言い、最初の塗りよりもブレードをやや立てて下地板に付着した余分なパテをこすり削って取り除くことも目的とする。【選択図】図１
0003165629.tif 000002
【実用新案登録請求の範囲】
【請求項１】
ブレードの上面に脚柱を介して柄が取付けられ、且つ、ブレードの刃先縁に垂直な線に対して、上側から見て柄の軸線が所定の角度を有して傾斜していることを特徴とするパテベラ。
【請求項２】
柄の軸線は、反時計回りの方向に傾斜している請求項１記載のパテベラ。
【請求項３】
柄がブレードの上面と平行に延びるように取り付けられている請求項１又は請求項２記載のパテベラ。
【請求項４】
柄の下面とブレードの上面との間隔が少なくとも１７ｍｍである請求項３記載のパテベラ。
【考案の詳細な説明】
【技術分野】
【０００１】
本考案は、壁の下地板の表面にクロスを貼るときに使用するパテベラに関する。
【背景技術】
【０００２】
石膏ボードやベニヤ板などを内壁の下地板として使用する場合に、下地調整をしないままクロスを貼ると下地板の継ぎ目がクロスの表面に現れてしまうので、クロスを貼る前に下地調整が必要である。下地調整は、下地板の継ぎ目にパテを塗り付けることにより行われる。
【０００３】
継ぎ目にパテを塗る方法は、まずパテをパテベラに取り、パテベラを継ぎ目に当て徐々にパテベラを寝かしていく。次いで、パテが下地板に付いた状態でパテベラを継ぎ目に沿って移動させながらパテを塗っていく。継ぎ目は天井の高さから床まで生じているので、天井から始めて床まで全長に亘ってパテを塗る。
【０００４】
従来のパテベラは、柄が板状に形成されブレードと同じ平面にある。したがって、継ぎ目にパテを塗る場合にパテベラが床に近づくと柄がすぐに床に当たるのでパテベラをそれ以上移動させることができない。ブレードに対して柄が斜めに取り付けられているがそれだけでは効果は小さい。そこで、実際の作業ではパテベラの刃先縁を下向きにして床から上方に移動させてパテを塗らなければならない。低い位置でパテベラの刃先縁を下向きにしてパテを塗る作業は力を入れづらく、すぐに疲れるのでそのような作業はできるだけ短縮できることが好ましい。
【０００５】
また、通常、パテを一度塗っただけでは継ぎ目にパテが完全に充填されないから、３度あるいは４度程度塗ることが必要であった。従来のパテベラは前述したように柄が板状に形成されブレードと同じ平面にあるから、パテを塗るときに柄を握っている指が邪魔してブレードを十分に寝かすことができず、それよりも立ったパテベラの刃先縁がパテを取り除こうとするのでパテを円滑に伸ばすことができず何度も塗ることが必要であったのである。
【先行技術文献】
【特許文献】
【０００６】
【特許文献１】実開昭６２−８８０３３号公報
【考案の概要】
【考案が解決しようとする課題】
【０００７】
従来のパテベラは、パテを上から下に塗っていくときに、ブレードが十分に床の近くまで移動させる前に柄の端部が床に当たってしまうのである。また、パテを塗るときにパテベラを寝かせることが必要であるが、従来のパテベラは柄を握っている指が邪魔をしてパテベラを十分に寝かすことができないのである。
【課題を解決するための手段】
【０００８】
本考案は、パテベラでパテを上から下に塗っていくときに、ブレードを床の近くまで移動させてパテを塗ることができるパテベラを提供すること、及び、パテベラを十分に寝かせることができて継ぎ目にパテを効果的に充填させていくことができるパテベラを提供することを目的とするものであって、本考案の請求項１は、ブレードの上面に脚柱を介して柄が取付けられ、且つ、ブレードの刃先縁に垂直な線に対して、上側から見て柄の軸線が所定の角度を有して傾斜している構成である。
【０００９】
請求項２は、柄の軸線が反時計回りの方向に傾斜している構成である。請求項３は、柄がブレードの上面と平行に延びるように取り付けられている構成である。また、請求項４は、柄の下面とブレードの上面との間隔が少なくとも１７ｍｍである要素が請求項３に付加された構成である。
【考案の効果】
【００１０】
本考案は、ブレードの上面に脚柱を介して柄が取り付けられているので、柄がブレードから浮き上った状態で取り付けられ、さらに柄の軸線が傾斜している。したがって、パテベラでパテを上から下に塗っていくときに、柄が浮き上った分と柄の軸線が傾斜している分だけブレードを床の近くまで移動させてパテを塗ることができる。この結果、パテを塗ることができなかった部分は床からわずかの高さまでの部分であり、この部分はブレードの刃先縁を下方に向けてパテを塗る必要があるが、従来よりも塗る作業が少なくてすみ、この作業による疲労を軽減することができる。
【００１１】
さらに、パテを塗るときはパテベラを十分に寝かせることが好ましい。パテ塗りの際にパテベラを十分に寝かせるとブレードがパテに平面的に当たり、パテを押さえて伸ばしながら塗ることができるので下地板の継ぎ目にパテを効果的に充填させていくことができる。本考案では、柄が浮き上っているので、パテベラを徐々に寝かせていったときに柄を握っている指が下地板に当たることがなく、パテベラを十分に寝かせることができて継ぎ目にパテを効果的に充填させていくことができるのである。これにより、本考案においてはパテを２度塗るだけで継ぎ目を充填させることができるから作業の能率が上がるのである。なお、２度目のパテ塗りは仕上げ塗りとも言い、最初の塗りよりもブレードをやや立てて下地板に付着した余分なパテをこすり削って取り除くことも目的とする。また、請求項２は、柄の軸線が反時計回りの方向に傾斜しているので、右利きの作業者にとって作業しやすい。
【図面の簡単な説明】
【００１２】
【図１】本考案の斜視図である。
【図２】本考案の上面図である。
【図３】本考案の側面図である。
【考案を実施するための形態】
【００１３】
次に本考案の実施形態について説明する。パテベラ１は、ブレード２の上面３に脚柱４を介して柄５が取り付けられている。パテベラ１及び脚柱４は共にステンレス製であり、柄５は木製であるがこれらの材料に限定されるものではない。ブレード２と脚柱４の結合方法について説明すると、脚柱４は図１又は図３に表わされた脚柱本体６の下側にそれよりも径の小さな四角形の基部（図示せず。）を有しており、ブレードにはその基部を挿通させる四角形の孔が設けられており、基部を挿通させて孔からはみ出した基部を叩き潰して頭部７を形成する。これにより、ブレード２と脚柱４が結合され、ブレード２は脚柱４に対して回転することがない。次に、柄５と脚柱４の結合方法について説明すると、脚注４の上端に横方向に延びる突出部（図示せず。）が形成されて脚柱４はＬ字形をなしており、柄５の下面に突出部を嵌め込むための深溝（図示せず。）が形成されており、突出部をこの深溝に嵌め込み、深溝の溝のまま残っている部分に木片を嵌め込む。これにより、柄５と脚柱４が結合され柄５は脚柱４に対して回転することがない。
【００１４】
柄５は、ブレード２の刃先縁８に垂直な線に対して上側から見て柄５の軸線が所定の角度を有して傾斜している。柄５は約１７度反時計回りの方向に傾斜しているがこれと異なる角度であってもよいことは勿論である。柄５が反時計回りの方向に傾斜しているパテベラ１は主に右利き用であり、時計回りの方向に傾斜しているときは左利き用である。また、柄５はブレード２の上面３と平行に延びるように取り付けられている。柄５がやや尻上がりになるように取り付けてもよい。柄５の長さは約１２０ｍｍであるがこの数値に限定されない。ただし、例えば１８０ｍｍのように必要以上に長くすると本考案の効果が発揮できないので、そのような長い柄を含む趣旨ではない。柄５の下面９とブレード２の上面３との間隔は約２０ｍｍであり、１７ｍｍから３０ｍｍ程度であることが好ましい。
【００１５】
図３に示すように、ブレード２はその後端から刃先縁８に行くに従って徐々に薄くなるように形成されている。これは、パテを塗るときに刃先縁８の付近を撓ませてパテをブレード２の面で押さえるように塗るためであり、さらに、ブレード２の腰を強くしてブレード２の撓み過ぎを防ぐためである。ブレード２の刃先縁８の長さは約２１０ｍｍであり、刃先縁８と垂直方向の最大長さ、すなわち縦の最大長さは約１００ｍｍである。すなわち、刃先縁８の長さは縦の最大長さの約２倍である。ブレード２がこれらの数値に限定されないことは勿論である。
【産業上の利用可能性】
【００１６】
柄５がブレード２から浮き上って取り付けられているので、ブレード２の刃先縁８を上側に向けた状態で床の近くまでパテを塗ることができる。また、パテ塗りの際にブレード２を十分に寝かせることができる。
【符号の説明】
【００１７】
１  パテベラ
２  ブレード
３  ブレードの上面
４  脚柱
５  柄
６  脚柱本体
７  頭部
８  刃先縁
９  柄の下面
【図１】
0003165629.tif 000003
【図２】
0003165629.tif 000004
【図３】
0003165629.tif 000005